(57)【要約】この発明は、ヘッドエンド装置と複数のユーザとの間の電気ネットワークでの双方向通信に適したシステムである．この発明は、ＯＦＤＭ（直交周波数多重）多ユーザ通信システムにおける多数のユーザの時間同期と周波数同期とのために使用される。この発明の方法では、ヘッドエンド装置からダウンリンクを介してユーザへ周期的に送信される２つの同一の同期シンボル(16)を用いる同期シーケンスを生成する。サンプル周波数が決定され訂正され、そして、同時に、ＯＦＤＭシンボルが開始する時刻が決定できるので、各ユーザが受信した信号のサンプルが送信において用いられたサンプルとマッチする。
2004533768.tif 000002
【特許請求の範囲】
【請求項１】
ＯＦＤＭ変調を用いる１対多ポイントシステムにおける複数ユーザーの下流における同期の方法であり、ヘッドエンドと種々のユーザの間での電気ネットワークを介しての双方向通信に適用可能であり、複数のＯＦＤＭシンボルにおいて循環的接頭部を追加または抽出する手段を備え、前記の装置の送信と受信とディジタルバンド変換のシステムにおいてインターポレータとデシメータを備え、ヘッドエンドから前記の複数のユーザへの下流チャンネルを介して送られる情報における同期シーケンスを送信して、受信において、周波数と時間の同期をとる方法であって、
ヘッドエンド装置から下流チャンネルによりすべてのユーザの装置へ周期的に送信される２つの同一の同期シンボルを用いて同期シーケンスを生成し、
すべてのユーザの装置では、受け取った前記の同期シーケンスを検出して、ユーザの装置における受信部に含まれるアナログ／ディジタル変換器におけるサンプル周波数を、周波数を同期して、推定して訂正するか、または、ディジタル信号の再サンプルを行い、同時に、時間を同期して、各ＯＦＤＭシンボルが開始する時刻を推定する、方法。
【請求項２】
請求項１に記載された方法であって、
受け取った２つのシンボルのサンプルの相関最大値の計算から時間の同期が始まるように、最も類似しているという基準を最大にすることにより同期シーケンスの検出を行い、この最大値は、相関ピークの平らなゾーンの中点であり、その大きさを、サンプルの数で表すと、シンボルの間の干渉がないときの循環的接頭部のサンプルの数に等しく、相関最大値が決定される時刻における相関の角度を計算することにより周波数同期を実行する、方法。
【請求項３】
請求項２に記載された方法であって、
前記の相関最大値が、パワーと定数Ｃとの積に対応するしきい値を超える相関ピークを検出することにより計算され、この最大値は、相関ピークの平らなゾーンの中点になり、その大きさを、サンプルの数で表すと、シンボル（複数）の間の干渉がないときの循環的 接頭部のサンプルの数に等しく、定数Ｃの値は、誤った警告を発生する確率を最小にするように固定され、前記の相関は、以下の式
【数１】
2004533768.tif 000022
を用いて計算され、前記のパワーは、以下の式
【数２】
2004533768.tif 000023
により計算され、ここで、γ(ｍ)はサンプルの時刻ｍでの相関であり、ξ(ｍ)はサンプルの時刻ｍでのパワーであり、ｒ(ｋ)は、時刻ｋに受け取られたサンプルであり、ｒ＊(k+n)は時刻ｋ＋ｎに受信されたサンプルの複素共役であり、ｎ＝Ｎ＋Ｌであり、ｌ＝Ｎであり、ここで、Ｎは同期シーケンスにおけるシンボルの１つにおけるサンプルの数であり、ｌは、循環的接頭部のサンプルの数である、方法。
【請求項４】
請求項２または３に記載された方法であって、
サンプルと、好ましくはさらに現在のサンプルとＮサンプル前に到達したサンプルの複素共役との部分積とを記憶し、
以下の式
Ｐ(d)＝Ｐ(d-1)＋(rdr＊d-(N+L))-(ｒｄ−Nr*d-(N+L)-N)
Ｒ(ｄ)＝Ｒ(ｄ−１)＋|ｒｄ|２−|ｒｄ−Ｎ|２
を用いて相関とパワーの計算を反復して行い、ここで、Ｐ(d)は相関であり、Ｒ(d)はパワーであり、ｒｄは、現在のサンプルであり、ｒｄ−NはＮサンプル前に受信部に到達したサンプルであり、ｒ＊ｄ−（Ｎ＋Ｌ）は、Ｎ＋Ｌサンプル前に受信されたサンプルの複素共役であり、ｒ＊ｄ−（Ｎ＋Ｌ）−Ｎは、２Ｎ＋Ｌサンプル前に受信されたサンプルの複素共役である、方法。
【請求項５】
請求項３に記載された方法であって、
周波数誤差が予め決められたしきい値より小さくなると、前記の相関の実数部のみを使用して計算を単純化することを特徴とする方法。
【請求項６】
請求項３〜５のいずれかに記載された方法であって、
Ｃを、パワーとＣの積がしきい値として使用できるように前記のパワーと乗算される因子とするとき、前記の同期シーケンスの検出は、誤った警告の確率を最小にするため前記の相関値をパワー値とＣの積と比較することにより実行され、｜γ｜＞Ｃξの条件が与えられたとき、同期シーケンスとそのサンプルのための最適な時刻が探索される、方法。
【請求項７】
請求項１に記載された方法であって、
前記の２つの同一の同期シンボルが、固定された情報と擬似的にランダムな情報のいずれかからなることを特徴とする方法。
【請求項８】
請求項１〜６のいずれかに記載された方法であって、
受信部におけるサンプル周波数の同期と時間の同期は、１つのデータ取得ステージとその追加ステージとからなり、データ取得ステージは、決まった数の同期シーケンスの探索、粗い周波数誤差訂正、及び、両方の同期のための追加ステージへの移動からなる、方法。
【請求項９】
請求項８に記載された方法であって、
時間同期のためのデータ取得ステージは、予め決められた数のシンボルまたは同期シーケンスの到達が始まる１つの同期シーケンスの、位置または時刻での、検出のための待ちステージを設けて、追加ステージに移る前に誤った警報による同期のデータ取得の確率を減らす、方法。
【請求項１０】
請求項８または９に記載された方法であって、
前記の時間同期のデータ取得ステージに続いて、追加ステージがあり、この追加ステージでは、下流チャンネルによりユーザに送られた同期シーケンスを検出し、受信されなかったシーケンスの数を数えつづけ、ある決められた限界を超えると、時間データ取得ステージに戻る、方法。
【請求項１１】
請求項８または１０に記載された方法であって、
時間同期に続く追加ステージにおいて、ＯＦＤＭシンボルの開始をマークする時刻の変更が、新しい同期シーケンスが到着するたびに起こり、この変更は、ユーザの受信部により予測される時間ドメインから周波数ドメインへの変換のステージにおいて適用される１グループのサンプルの変動により実行され、これにより、等化により訂正される、復調された信号点配置における位相の変化すなわち回転を生じ、さらに、等化シーケンスが、好ましくは同期シーケンスの後で送信される、方法。
【請求項１２】
請求項８に記載された方法であって、
受信部の中のアナログ／デジタル変換器におけるサンプル周波数を生成するために使用される発振器が十分に正確である場合、前記の周波数同期データ取得ステージが抑えられる、方法。
【請求項１３】
請求項８に記載された方法であって、
前記の周波数同期データ取得ステージが、時間同期データ取得ステージの後で起こり、このステージは、この計量の最大の時刻における相関角度から始まるサンプル周波数の誤差の推定を含み、この推定は、以下の式
【数３】
2004533768.tif 000024
を用いて、この計量の最大値の平らなゾーンの中心に位置される時刻を用い、この式において、Ｍは、インタポレータとデシメータの補間因子であり、ｆｃはキャリア周波数であり、ｆｓはサンプル周波数であり、Δｆｓはサンプル周波数の誤差であり、
前記の周波数同期データ取得ステージは、さらに、周波数訂正素子を用いてこの誤差を補償する補償ステージを備え、この補償ステージは、選択的に電圧により制御される発振器または再サンプル素子とそれに接続されるフィルタからなり、前記の式から始めて、虚数部と実数部の比のアークタンジェントを計算して、前記の式によりΔｆｓを求め、これらのステップが、サンプル周波数の誤差の推定があるしきい値より小さくなるまで反復される、方法。
【請求項１４】
請求項８または１３に記載された方法であって、
前記の周波数同期に続く追加ステージは、信号点配置の回転速度が受信された各キャリアにおいて計算されている周波数ドメインにおいて各キャリアにおける信号点配置の回転を補償する回転素子により受け取られる信号を乗算することを含む、方法。
【請求項１５】
請求項１４に記載された方法であって、
受け取られた各キャリアにおける信号点配置の回転速度を計算するため、下流チャンネルでの送信の間にグリッドが送られ、これは、グリッドキャリアが情報を送るために使用されるとき、ヘッドオン装置に、位置が時間とともに変化するグリッドキャリアとして知られるキャリアにおいて、固定された変調、好ましくは低い信号対雑音比の変調、を使用させて、
ユーザが、グリッドキャリアの位置を知り、そのユーザがグリッドキャリアにより送られる情報の宛先であるか否かにかかわらず、これら２つにより使用される変調を知って、これらのキャリアにおけるライン特性モニタの処理を行い、ここに、ユーザは、それらのキャリアにおける変調された情報を、当該ユーザがこの情報の宛先であるか否かにかかわらず、前もって知らない、方法。
【請求項１６】
請求項１５に記載された方法であって、
最高周波数でキャリアにおける最大の回転から始まる前記のグリッドのための最大期間が、オーバーフローが生じないように固定されていて、シンボルの数で表わしたグリッドの期間、すなわち、１つの決められたキャリアの中の角度の２つの連続的測定の間のシンボルの最大数がＮＴであり、そのグリッドは、すべてのキャリアがＮＴシンボルの間にそのグリッドに属するように、かつ、
【数４】
2004533768.tif 000025
すなわち、各シンボルの中のグリッドに属するキャリアの数のＮＴシンボルの間の総和がそのシステムにおける全てのキャリアの数に等しいように、そのシステムのＮキャリアにわたって分布され、前記の式において、Ｎｉは、シンボルｉの中のグリッドに属するキャリアの数であって、ＮＴシンボルに続いて、得られる各キャリアにおける回転速度の新しい測定値が得られる、方法。
【請求項１７】
請求項１５または１６に記載された方法であって、
受信において回転速度を計算するため、ユーザは、ヘッドオン装置により送られる情報の宛先であるか否かにかかわらず、グリッドキャリアにより使用される復調を前もって知ってグリッドキャリアにより送られる情報を復調し、通信される信号点配置に関する回転角度を計算して、それらの角度を同じキャリアについての以前の計算結果と比較して２つ角度推定値の間の時間で除算することにより、これらのキャリアの回転速度を計算する、方法。
【請求項１８】
請求項１５または１７に記載された方法であって、
前記の追加ステージにおいて、周波数誤差を、１つのシンボルにおける各々のキャリアの信号点配置の回転角の平均値を測定することにより求め、この誤差を、周波数訂正素子により訂正し、ここで、この平均値が相関角に等しい、方法。
【発明の詳細な説明】
【０００１】
（技術分野）
本発明は、通信分野に関するものであり、より詳細には、下流チャンネルすなわちヘッドオン装置とユーザと間のリンクにおいて同期を行うようにヘッドオン装置と種々のユーザの間の双方向通信に適用できる。ここで、電気ネットワークが通信手段として使用されて、複数のサービスがこの通信手段を介してユーザに提供できる。
【０００２】
（発明の目的）
本発明の目的は、電気ネットワークにおける下流チャンネルにおける新しい、非常に安全な、時間と周波数の同期処理を提供することである。この処理は、典型的には、電気ネットワークを介するデータの送信の間に存在する高い雑音レベルと周波数選択による固有の問題を防止し、これにより、下流チャンネルにおける同期の誤った指示の発生を防止する。
【０００３】
この発明の処理を用いて、種々のユーザの受信部が、下流チャンネルで受け取られる信号から始めて、ヘッドエンド送信機により使用される周波数で同期する。さらに、ここに説明される処理を用いて、また、受信信号のサンプルにしたがって、各々のユーザの受信部は、受け取ったサンプルの中のどのサンプルが同じ信号に属するかを知る。すなわち、各々のユーザの受信部は各シンボルの開始を知る。
この発明は、特に、スペイン特許出願第２０００３０２４号（「電気ネットワークを介して１対多ポイントデータのディジタル送信のためのシステムと方法」）に記載されたシステムにおいて種々のユーザの同期を取るために考えられた。
【０００４】
（背景技術）
ＯＦＤＭ信号のための種々の同期法が従来から知られているが、それらのいずれも、送信の手段が電気ネットワークである１対多ポイントシステムにおいて同期の誤った指示を防止するのに必要な高い安全レベルに達していない。
周知のように、電気ネットワークは、むずかしい通信媒体である。なぜなら、ネットワークでの異なる装置の接続と接続切断がラインにおいて電圧のピークとインピーダンスの変動を生じるので、チャンネル応答は時間と共に変わる。
【０００５】
公知の同期法の中で、時間同期法についての米国特許第５７３２１１３号に記載された方法では、２つの同じ半分からなる１つの同期シンボルを用いる。ここで、同期を行うため、本発明で提案されるより少ない数のサンプルが使用され、また、電気ネットワークで非常にありふれたインパルス雑音がより大きな程度で同期に影響する。これは、インパルス雑音はその定義により少数のサンプルに影響する時折の雑音であるので、本発明により提案される方法よりこの処理に影響するためである。したがって、１つの同期シンボルのみを用いる方法は、電気ネットワークを介する通信システムでは望ましくない。
同期を実行するために少数のサンプルを使用することによる同期の計算すなわち推定において、１つの同期シンボルの使用はより大きな変動を意味するということをここで指摘しなければならない。
【０００６】
P. Mooseは、２つの同等なシンボルを用いるという概念を発表した（"A technique for orthogonal frequency division multiplexing frequency offset correction, IEEE Trans. on comm., vol. 42, pp2908-2914, 1994）。しかし、これらのシンボルは、本発明におけるように時間同期をとるために考えられたのではなく、アナログ変換の周波数の誤りを推定するために使用されている。
最後に、アナログ変換の周波数の誤りを訂正するため相関のアークタンジェントを用いて周波数同期を実行することは、従来から知られている（たとえば、米国特許第５７３２１１３号、またはMooseの論文）。この発明では周波数同期を実行するため、各々のユーザの受信部におけるアナログ／ディジタル変換器でのサンプル周波数誤差の推定を行うが、このことは従来の技術から大きく異なっている。
【０００７】
（発明の開示）
この発明では、ＯＦＤＭ変調を用いる１対他ポイントの送信システムにおける複数のユーザのための下流チャンネルで周波数と時間の同期を、通信手段として電気ネットワークを用いて実行する。このため、本発明では、ヘッドエンドから前記の複数のユーザへの下流チャンネルを介して送られる情報における同期シーケンスを送信する。この方法は、ヘッドエンド装置によりすべてのユーザの装置へ周期的に送信される２つの同一の同期シンボルを用いて同期シーケンスを生成するので、ユーザの装置は、受信した同期シーケンスを検出して、ユーザの装置における受信部に含まれるアナログ／ディジタル変換器におけるサンプル周波数を推定し訂正するか、または、周波数を同期して、ディジタル信号を再サンプルし、同時に、時間を同期して、各ＯＦＤＭシンボルが開始する時刻を推定する。
【０００８】
本発明により、同期シーケンスは、従来から知られているように、最も類似しているという基準を最大にすることにより検出するが、時間の同期が、受信したシーケンスの中の２つのシンボルのサンプル（複数）の相関の最大値の計算から始まることは新規である。ここで、この最大値は、相関ピークの平坦なゾーンの中点である。その大きさを、サンプルの数で表すと、シンボルの間の干渉（ISI）がないときの循環的接頭部（prefix）のサンプルの数に等しい。また、周波数同期を、最大相関値として決定される時刻における相関の角度を計算することにより実行する。
【０００９】
相関最大値は、受信された信号のパワーの予め決められたしきい値を超える相関ピーク（複数）を検出することにより計算される。この最大値は、相関ピークの平らなゾーンの中点として得られ、このピークの大きさは、サンプルの数で表わすと、シンボルの間の干渉(ISI）がないときの循環的接頭部のサンプルの数に等しい。ここで、循環的接頭部は、シンボル間の干渉を避けるために通常追加される接頭部であり、しきい値は、（通常は電気ネットワークに影響するインパルス雑音による）誤った警告による同期データ取得の確率を最小にするように固定される。また、相関γ(ｍ)は、以下の式
【００１０】
【数５】
2004533768.tif 000003
【００１１】
を用いて計算される。ここで、ｍは相関の計算の時刻であり、r(k)は時刻ｋに受信されたサンプルであり、ｒ*(k+n)は時刻k＋nに受信されたサンプルの複素共役であり、ｌ＝Ｎであり、ｎ＝Ｎ＋Ｌである。ここで、Ｎは同期シーケンスにおけるシンボルの中の１つのシンボルのサンプルの数であり、ＬはＯＦＤＭシンボルにおける循環的接頭部のサンプルの数である。この相関の式は、受信された信号のＮ＋Ｌサンプルだけ離れている２つの区間のＮサンプルの数学的相関である。
【００１２】
前記のパワーは、以下の式
【数６】
2004533768.tif 000004
により計算される。すなわち、パワーはモデムにおいて受信されるサンプルのモジュールの平方として計算できる。
【００１３】
この発明における方法は、相関とパワーの反復計算を含む。ここで、反復して計算される相関をＰ(d)で表し、反復して計算されるパワーをＲ(d)で表し、ｄは、相関の計算の時刻を表す。受信されたサンプルを、受信部に記憶し、さらに、前記の部分積も記憶して、相関Ｐ(d)の反復計算は、以下の式を用いる。
Ｐ(d)＝Ｐ(d-1)＋(ｒｄｒ＊ｄ−(N+L))-(ｒｄ−Nｒ*d-(N+L)-N)
そして、パワーＲ(ｄ)は、以下の式
Ｒ(ｄ)＝Ｒ(ｄ−１)＋|ｒｄ|２−|ｒｄ−Ｎ|２
を用いて計算する。ここに、ｒｄは、現在のサンプルであり、ｒｄ−NはＮサンプル前に受信部に到達したサンプルであり、Ｎは、同期シーケンスの中の１つのシンボルにおけるサンプルの数であり、ｒ＊ｄ−（Ｎ＋Ｌ）は、Ｎ＋Ｌサンプル前に受信されたサンプルの複素共役であり、ｒ＊ｄ−（Ｎ＋Ｌ）−Ｎは、２Ｎ＋Ｌサンプル前に受信されたサンプルの複素共役であり、Ｌは、ＯＦＤＭシンボルの循環的接頭部 サンプルの数である。
【００１４】
相関の反復計算では、前のサンプルについて計算された相関値に、現在のサンプルとＮ＋Ｌサンプル前に受信されたサンプルの複素共役との積を加算し、この結果から、Ｎサンプル前に受信されたサンプルと２Ｎ＋Ｌサンプル前に受信されたサンプルの複素共役との積を減算する。
同様に、パワーの反復計算では、前のサンプルについて計算されたパワー値を現在のサンプルの平方に加算し、現在のサンプルのＮサンプル前に受信されたサンプルの平方を減算する。
【００１５】
この発明における方法では、周波数誤差が予め決められたしきい値より小さいとき、実数部分は、虚数部よりずっと大きいので、計算を簡単にするため、相関の実数部分のみを使用することを予測する。
【００１６】
この発明における方法は、相関値を、パワー値と定数Ｃとの積と比較することにより、同期シーケンスの検出を実行して、インパルス雑音による同期データ取得の確率を最小にする。したがって、サンプルのための同期シーケンスと最適時刻が、相関モジュールが、得られたパワー値について前述のしきい値以上であるときに、検出される。
２つの同一の同期シンボルは、固定された情報および／または擬似的にランダムな情報から選択的に構成される。この情報は、同期シンボルの中のキャリア（carrier）の中で送られ、受信の際には既知である。
【００１７】
受信部におけるサンプル周波数の同期と時間の同期とは、１つのデータ取得ステージと追加ステージを構成する。データ取得ステージは、決まった数の同期シーケンスの探索からなり、この決まった数の同期シーケンスが十分に決定されれば、それらのシーケンスは正当化され、周波数誤差の訂正は、その次の追加ステージに移る前に実行される。
【００１８】
時間同期のためのデータ取得ステージは、受信部による１つの同期シーケンスの検出のための待ちステージを含む。発信装置が周期的に同期シーケンスを送信しているので、この待ちステージでは、次の決められた数の同期シーケンス（決められた数のサンプルで分離されている）の到達を待つ。これは、すべて、追加ステージに移る前に起こり、誤った警報による同期のデータ取得の確率を減らす。
【００１９】
時間同期のデータ取得に続いて、時間同期のための追加ステージがある。ここで、下流チャンネルによりユーザに送られる同期シーケンスを検出する。この追加ステージでは、受信されなかったシーケンスの数を数えつづけ、ある決められた限界を超えると、時間データ取得ステージに戻らせる。
【００２０】
同期シーケンスが時間同期における追加ステージに到達するたびに、この発明の方法に含まれる１つのステージで、ＯＦＤＭシンボルの開始をマークする時刻が変更される。この変更は、ユーザの受信部に通常含まれている時間ドメインから周波数ドメインへの変換のステージに適用される１グループのサンプルの変動により実行される。これにより、等化（equalization）により訂正される、復調された信号点配置における位相の変化すなわち回転を生じる。さらに、等化シーケンスは、好ましくは同期シーケンスの後で送信される。
【００２１】
この発明における方法は、受信部のアナログ／ディジタル変換器におけるマスタ周波数を与えるために使用される発振器が十分に正確である場合、周波数同期ステージを抑える可能性を含む。
周波数同期データ取得ステージに関して、重要なことは、それが、時間同期データ取得ステージの後で起こることである。このステージは、サンプル周波数の誤差の推定を含み、この推定は、この計量（metric）の最大の時刻における相関角度から始まり、以下の式
【００２２】
【数７】
2004533768.tif 000005
を用いて、この計量の最大値（複数）の平らなゾーンの中心に位置される時刻を用いる。ここで、Ｍは、ヘッドオン送信機に通常含まれているインターポレータ(interpolator）の補間因子とユーザの受信機に通常含まれているデシメータ（decimator）におけるデシメータ因子であり、ｆｃはキャリア周波数であり、ｆｓはサンプル周波数であり、Δｆｓはサンプル周波数の誤差である。したがって、相関角度は、虚数部と実数部の比のアークタンジェントを用いて最適時刻で計算される。前の比Δｆｓから始めて、計量の最大値(複数）の平らなゾーンの中点にある時刻を最適の時刻として、これらのステップを、サンプル周波数の誤差の推定があるしきい値より小さくなるまで、反復する。
【００２３】
他方、追加ステージは、各キャリアにおける信号点配置の回転を補償するため回転素子（rotor）を用いること、または、訂正素子（corrector）を用いて周波数誤差の訂正を続けること、または、この２つを同時に行うことを含む。
【００２４】
周波数同期を行うこれらの方法のうち第１の方法では、周波数ドメインにおける各キャリアにおける信号点配置の回転を補償する回転素子により受け取られる信号を乗算することを含む。この回転素子の値は、各キャリアにおける信号点配置の回転速度の計算を用いて計算される。
【００２５】
各キャリアにおける信号点配置の回転速度を計算するため、この方法は、下流チャンネルでの送信の間にグリッドを送ることを含み、この送信は、固定された変調（好ましくは低い信号対雑音の変調）で、あるキャリア（複数）の中のシンボルを送信することを含む。ある期間の後で、すべてのキャリアが、ある時間、固定された変調を使用することを強いるように（すなわち、グリッドキャリアであることを強いられるように）、グリッドキャリアの位置は変更できる。ユーザは、情報の宛先であるか否かにかかわらず、それらのキャリアにおける変調された情報をアプリオリには知らない。
【００２６】
最高周波数のキャリアにおける最大の回転から始めて、各キャリアにおける角度の２つの連続的測定の間の最大期間は固定されていて、この角度の測定はオーバーフローなしに達成される。ＮＴは、１つの決められたキャリアの中の角度の２つの連続的測定の間のシンボルの最大数を表わす。したがって、すべてのキャリアがＮＴシンボルの１つのグリッドに属するように、また、
【００２７】
【数８】
2004533768.tif 000006
【００２８】
すなわち、各シンボルの中のグリッドに属するキャリアの数のＮＴシンボルの間の総和がそのシステムにおけるキャリアの全体の数に等しいように、このグリッドはそのシステムのＮキャリアにわたって分布できる。前の方程式では、Ｎｉは、シンボルｉの中のグリッドに属するキャリアの数であり、したがって、ＮＴシンボルに続いて、各キャリアにおける回転速度の新しい尺度が得られる。
【００２９】
ヘッドオン装置は、情報を通信するために、（全ての他のキャリアでも起こるように）グリッドキャリアを使用しつづけるが、固定された変調を使用するという特性がある。グリッドキャリアの中の情報の宛先であるユーザも、全ての他のキャリアのユーザも、それらに使用される変調を知っていてその情報を回復でき、この受信を用いて、グリッドキャリアの回転速度を推定する。
【００３０】
ユーザは、（その情報の宛先であってもそうでなくても、これらにより使用される変調を知っているので、）グリッドキャリアにより送られる情報を復調し、受信される信号点配置の信号点を、送信される信号点配置の信号点の推定と比較することにより、角度のずれを推定する。この角度と、ＮＴサンプル前に計算された値との差を（グリッドの構成パラメータに依存して）計算し、２つの測定の間のシンボルの数で除算することにより、回転される角度が計算されている各キャリアにおける信号点配置の回転速度の推定が得られる。
【００３１】
周波数変調を行うステージの第２の方法は、１つのシンボルの中の各々のキャリアの信号点配置の回転角の測定により周波数誤差を推定することと、周波数訂正素子を用いてこの誤差を訂正することを含む。この測定は、相関角と同等である。
上述の方法は、電気ネットワークにおける下流チャンネルでのデータ送信において、時間と周波数の同期の確実な同期を可能にする。
【００３２】
（発明を実施するための最良の形態）
本発明は、以下に添付の図面を参照して説明されるが、これは例示であり、発明を限定するものではない。
前に述べたように、本発明は、ヘッドエンドと種々のユーザの間の電気ネットワークを介する双方向通信に適用でき、その目的は、直交周波数分割多重（ＯＦＤＭ）変調を用いる１対多ポイントシステム（たとえばスペイン特許出願第２００００３０２４号参照）において同期を可能にする方法を提供することである。
【００３３】
現在の技術において周知であるように、ヘッドエンド送信機は、逆離散フーリエ変換（ＩＤＦＴ）を行うモジュール１を用いて、送られる信号を周波数ドメインから時間ドメインへ変換(translation）する。ＯＦＤＭ（直交周波数分割多重）シンボルは、モジュール１にて、ベースバンドにおいて、および、時間ドメインにおいて、得られる。ＩＤＦＴを出るとき、その信号は、位相Ｉ(たとえば出力exitの実数部分)と直角位相（クァドラチュア）Ｑ（虚数部分）に分離されていて、これらは、循環的接頭部発生器２に入力され、循環的接頭部発生器２は、この変調において通常起こりうるような、多重チャンネルにおけるシンボルの受信によるシンボルの間の干渉を防止するため、および、可能なエコーを吸収するため、循環的接頭部を各ＯＦＤＭシンボルに追加する。
【００３４】
これに続いて、インターポレータ因子Ｋを用いるインターポレータ(interpolator)３を以前に通った信号が、変調器ＩＤ４に（同位相と直角位相で）導入される。
その後、同位相と直角位相で変調された信号は、加算器５に入力され、加算器５の出力は、アナログ／ディジタル変換器６に接続される。アナログ／ディジタル変換器６は、アナログ部品（分離器、増幅器、フィルタ）に接続されて、信号を電気ネットワークに導入する。信号は電気ネットワークを介して種々のユーザに送られる。種々のユーザにおいて、受信部は、ネットワークから（分離器とアナログフィルタを用いて）信号をとり、その信号を、アナログ／ディジタル変換器７に送る。アナログ／ディジタル変換器７に接続される復調器ＩＱ８は、低域通過フィルタ１０を用いて、同位相と直角位相の信号をオーダーＭのデシメータ９に送る。これに続いて、信号は、（再サンプルをする場合は）再サンプルフィルタ１２を用いて循環的接頭部抽出器１１に送られる。その後、信号は、離散フーリエ変換（DFT)を行うモジュール１３を用いて時間ドメインから周波数ドメインへ変換される。
【００３５】
１つの現実の例では、サンプル周波数の誤差は、装置の実装によっては、装置の発振器２８ａと２８ｂの間にある差によって生じる。ここで、変換器６におけるサンプル周波数ｆｓは、正確には、変換器７におけるサンプル周波数に対応しない。数学的には、受信部におけるサンプル周波数はｆｓ＋Δｆｓであり、Δｆｓは、種々の装置における発振器の間で上述の差により生じた周波数変動である。
【００３６】
サンプル周波数の誤差は、変調における各キャリアにおける信号点配置をシンボルごとに回転させる。この問題と同時に、サンプル周波数の誤差は、システムにおける減衰と雑音を引き起こす。したがって、ユーザの変換器７におけるサンプル周波数が変換器６におけるサンプル周波数と同じであるように、受信部における同期を用いてこの誤差を訂正する必要がある。
【００３７】
さらに、ある例では、位相誤差αｏも、復調器８における復調ＩＱを行うために使用されるサイン関数に存在する。この場合、位相誤差は、各キャリアにおける信号点配置において一定の回転を生じ、その結果、等化器により訂正できるが、一方、この誤差の同期レベルでの特殊な訂正は必要でない。
【００３８】
また、もう１つの問題は、ＯＦＤＭシンボルの最初のサンプルが何であるかを受信部が正確には知らないということである。これは重大な問題であり、この情報なしでは、１つの循環接頭部に属するサンプルの数と、時間ドメインから周波数ドメインへの変換を実行するブロック１３において導入されるべき数とを正確に知ることができない。もしＤＦＴ１３に導入されるサンプルが種々の異なるシンボルからのサンプルを含むならば、そのシステムにおける信号対雑音比が大きく劣化し、これにより、キャリアとシンボルの間の干渉を生じる。このため、ユーザの受信部は、各サンプルがどのシンボルに対応するかを知る必要がある。
【００３９】
したがって、ユーザの受信部を時間と周波数との両方において同期することが必要であり、これにより、同期シーケンス（複数）が送信機から送られ、同期制御モジュール１５により取得され、サンプル周波数の誤差と、デシメータ９の出力で得られるサンプルから始まるＯＦＤＭシンボルの開始の時刻を推定する。これらの全てが以下に説明する過程で起こる。
【００４０】
本発明の方法は、ヘッドオン装置からユーザの受信部へ周期的に送信される２つの同一の同期シンボル１６を用いる同期シーケンスの発生を含む。この２つの同一の同期シンボル１６は、受け取ったサンプル周波数の誤差と各シンボルの開始を同時に推定するために使用される。
２つの同期シンボルにおいて使用される、キャリアにより送信される情報は、固定されているかまたは擬似ランダムのシーケンスである。しかし、情報は２つのシンボルにおいて常に同じでなければならず、各受信部において知られていなければならない。
【００４１】
受信部における同期を行うため、第１に必要なことは、同期シーケンスの検出であり、このため、同期制御モジュール１５は、デシメータへの出力で得られるサンプルにおいて最大類似度の基準を適用する。この基準は他の応用においても知られており、以下の式
Λ(θ，ε）＝|γ(θ)|cos(２πε＋∠γ(θ))−ρξ(θ)
で定義される。ここに、θはサンプルの時刻であり、ε＝Δｆ＊（Ｔｓ＋Ｔｃｐ)（ここに、Ｔｓは１つのシンボルの送信と受信の時間であり、Ｔｃｐは、循環的接頭部の時間である）は、送信と受信の発振器の間の差であって、類似性を見出すために関連される２つの区間の間の時間差と乗算され、また、以下の関係が成り立つ。
【００４２】
【数９】
2004533768.tif 000007
【００４３】
【数１０】
2004533768.tif 000008
【００４４】
【数１１】
2004533768.tif 000009
【００４５】
ここに、ｌは、類似性を調べている上記の２つの区間のサンプルの数であり、ｎは、位相がずれていると分かったサンプルの数である。この場合、ｌ＝Ｎであり、ｎ＝Ｎ＋Ｌであり、ここで、Ｎは同期シーケンスにおけるシンボルの１つにおけるサンプルの数であり、Ｌは、循環的接頭部の数である。したがって、γは、Ｎ＋Ｌだけ離れたＮサンプルの２つの区間の相関であり、ξはＮサンプルのパワーである。
最大類似度の関数は、上記のコサインと上記の相関モジュール（γ）が最大であるときに、最大となる。
時間同期のため、相関最大値(γ)が使用される。これにより、最適な時刻すなわちθｏｐｔを得ることができる。
【００４６】
周波数同期において、コサインは、
【数１２】
2004533768.tif 000010
であるときに最大となる。ここで、εは、バンドの中の信号を変換するときの周波数オフセットの推定値、すなわち、信号の中のすべてのトーン（tones）(キャリア）にとって等しい周波数誤差である。上の方程式においてｎ＝０とすると、その結果は、Δｆｓ＜１／（Ｔｓ＋Ｔｃｐ）となり、εにその値を代入すると、以下の式が得られる。
【００４７】
【数１３】
2004533768.tif 000011
【００４８】
この展開は、アナログバンドへの変換を前提とし、したがって、変位は全てのキャリアにおいて等しい。アナログ信号はバンドの中に変換されないため、この種の誤差は、この発明では存在しない。このサンプリングにもかかわらず、周波数誤差が存在し、これが、周波数の変位を生じる。この変位は信号の中の前記のトーンのそれぞれで異なる。しかし、この変位がすべてのトーンで同じ符号であるため、εは、この誤差の測定値に比例し、推定値（estimator）として使用できる。この場合、相関角は、
【００４９】
【数１４】
2004533768.tif 000012
に等しい。この式で、Ｍは、送信と受信において変換器の前と後での補間とデシメータの因子であり、ｆｃはディジタルキャリアの周波数である。
【００５０】
周波数誤差Δｆｓは、この方程式の他の因子が全て知られていると、前の式からより容易に明らかになる。
２つの同一の同期シンボル１６からなる同期シーケンスは、固定された長さの時間で分離されて、耐雑音性を増加し、インパルス雑音による同期検出の確率を低下する。このため、受信部は、このシーケンスから始めて、どの時刻でもその同期を開始できる。図４は、１例を示し、この例では、２つの同期シンボル１６の周期的送信は、"Ｓ"シンボルごとに送られる。
【００５１】
同期シーケンスを検出するため、この発明は、上述の計量を使用する。ここで、最適な時刻において相関（値γ）とパワー（値ξ）は同じ値を持ち、その結果、パワー信号は、相関の最大値を検出するためのしきい値として使用される。最大の相関は、｜γ｜＞Ｃ・ξの条件が与えられたとき、探索される。しきい値Ｃは、インパルス雑音による同期検出の確率を最小にするように決められた固定値である。１対の同じ同期シンボル１６を用いて、相関は、理論的には単独のピークを持たず、むしろ、図３に示されるように、ピークは平坦部を持つ。この平坦部は循環的接頭部の中にあるシンボル（ISI)の間の相関なしでサンプルと同じ幅である。これらのサンプルのいずれも、同期シンボルの最後としてとられる。なぜなら、任意の他のサンプルをとっても、ＤＦＴ１３の出力での全てのサンプルにとって等しい位相のずれを生じるのみである。この位相のずれは、等化器により容易に訂正でき、受信で劣化を生じない。
【００５２】
平坦部の中央のサンプルは、最適時間同期点としてとられ、ピークを検出するために使用される。
相関は、反復して計算される。このため、同期制御モジュール１５は、長さＮのサーキュラ・バッファ１７を含み、このバッファ１７には、現在のサンプルとＮ＋Ｌサンプル前に到達した共役サンプルの積が格納される。図６では、現在のサンプルは縦のライン１８で表わされる。この値は、相関の現在の値に加算され、バッファの出力は、これから減算される。こうして、相関において、全てのメモリ位置の和が得られる。前述の積を得るため、バッファ１７と同様に、ｎ＝Ｎ＋Ｌの長さのバッファ１９にサンプルを記憶することが必要である。
【００５３】
次の式は、これを数学的に表わしている。
Ｐ(d)＝Ｐ(d-1)＋(rdr＊d-(N+L))-(ｒｄ−Nr*d-(N+L)-N)
ここに、Ｐ(d)は相関であり、ｒｄは、現在のサンプルであり、ｒｄ−NはＮサンプル前に受信部に到達したサンプルであり、Ｎは、同期シーケンスの中の１つのシンボルにおけるサンプルの数であり、ｒ＊ｄ−（Ｎ＋Ｌ）は、Ｎ＋Ｌサンプル前に受信されたサンプルの複素共役であり、ｒ＊ｄ−（Ｎ＋Ｌ）−Ｎは、２Ｎ＋Ｌサンプル前に受信されたサンプルの複素共役である。
【００５４】
パワーの計算も、相関のための計算と同様な過程に従って反復して行われる。この場合、式は以下のとおりである。
Ｒ(ｄ)＝Ｒ(ｄ−１)＋|ｒｄ|２−|ｒｄ−Ｎ|２
ここに、Ｒ(d)はパワーであり、ｒｄは、現在のサンプルであり、ｒｄ−NはＮササンプルプル前に受信部に到達したサンプルである。
【００５５】
図７は、これらの計算の可能な具体化を示す。ここで、上側の分岐２０において、パワーが上述の式を用いて計算され、下側の分岐２１において、相関が上述の式を用いて計算される。２つの分岐２０，２１において、Ｚ−Ｎ、Ｚ−１、Ｚ−（Ｎ＋Ｌ）に対応する複数の遅延ブロック２２が使用され、上述の反復式を計算するように、その指数部で示すサンプルの数の出力を遅延する。
【００５６】
こうして計算されたパワーは、乗算器２３においてしきい値Ｃと乗算され、その結果は比較器２４に送られて、得られた相関値と比較される。こうして、ピーク検出器２５により、図３に示される同期ピークが検出され、そして、検出されたピーク相関から始めて、好ましくはＣＯＲＤＩＣ回路２６を用いて、アークタンジェントを用いる計量の角度の計算を進める。
【００５７】
したがって、時間同期のデータ取得を行うため、受信部は、まず、既に説明した方法により同期シーケンスを検出するのを待つ。検出されると、予め決められた数のシンボルだけ後のもう１つの同期シーケンスの到達を待つ。
他方の同期シーケンスが到達しない場合、同期処理は初期状態に戻る。
【００５８】
その反対に、第１の２つの同期シーケンスが正しく検出されたとき、もう１つの同期シーケンスの到着が待たれ、これと同様に、ある数の連続する同期シーケンスが検出される。これらの時刻において、検出された同期シーケンスが実際に存在すると仮定される。もし、あるサンプル区間の間に、予期される同期シーケンスが検出できなかったとき、再び初期状態に戻る。同期シンボルのシーケンスは、もし予期される区間の外側で検出されるなら、無視される。
【００５９】
周波数における同期データ取得のステージについて、サンプル周波数を生成するため、受信部における高品質の発振器を使用できる。これによる、周波数データ取得ステージは必要でない。この場合、虚数部分が実質的に０であるので、最大にされるべき計量を計算するため、相関の実数部分のみが使用される。したがって、虚数部分を計算する必要はない。
【００６０】
他方、もしサンプル周波数を発生する発振器が非常には正確でないとき、１度時間同期が要求されると、周波数における誤差は、各同期シーケンスで推定され、周波数訂正素子により訂正される。周波数訂正素子は、たとえば、受信において固定発振器２８ａなどの代りに発振器として使用できるＶＣＸＯ２８、または、再サンプル素子２７と再サンプルフィルタ１２であり、これらは後で説明される。周波数誤差を推定するため、相関角が、好ましくは、相関の虚数部分と実数部分の比のアークタンジェントを計算する上述のＣＯＲＤＩＣ２６または同様な回路により計算される。相関角が分かると、既に説明したように、Δｆｓが上述の式から計算される。
周波数誤差の計算から始めて、周波数修正と誤差推定の反復計算が、推定値が予め決められたしきい値より小さくなるまで行われる。
【００６１】
具体化の１例では、アナログ／ディジタル変換器７におけるサンプル周波数の誤差の訂正が、同期制御モジュール１５により制御される電圧２８により制御される発振器を用いて、行われ、十分なサンプル周波数に達するように行われる計算から始める。
【００６２】
また、周波数訂正素子は、ＩＱ復調器８に信号を出力する再サンプル素子２７であっていてもよい。この場合、再サンプルフィルタ１２は、循環的接頭部を取り出す前に再サンプルされた信号に適合する必要がある。受信においてサンプル周波数を発生するため電圧により制御される発振器であるＶＣＸＯ２８を用いる場合のように、周波数誤差の粗い訂正の別の方法が使用できるなら、これらのフィルタ１２は必要でない。
【００６３】
追加ステージは、ヘッドオン送信機が通常に機能しているステージすなわちデータを送信しているステージである。この追加ステージでは、受信されている同期シーケンスが知られているので、もし１つのシーケンスが欠けていても、欠けている同期シーケンスを数えるカウンタの値は増加される。このカウンタがある制限された値に達すると、データ取得ステージが再び実行される。
【００６４】
同期シーケンスが到着すると、モジュール１３に入る信号の数が変更され、同期制御モジュール１５が、循環的接頭部減算モジュール１１とモジュール１３に作用して、選択されたサンプルが入ることを可能にする。シンボルが始まる時刻を変えたので、シンボルの開始を、循環的接頭部の異なるサンプルに変えたとき位相のずれが変化するので、等化器により再びイコライズする必要がある。このため、上述の等化を実行するため、一連の等化シンボルを同期シーケンスの後に含める。
【００６５】
追加ステージについて記載しておかねばならないことは、周波数訂正素子が存在しているけれども、サンプル周波数には常に残留誤差が残っていて、受信で復調するとき、信号点配置の信号点の位置の回転を生じることである。この誤差は、累積していき、もし１つのシンボルの後であるキャリアの回転角が０．３°であれば、１０シンボルの後では回転角は３°になる。
【００６６】
図８は、誤差がないサンプルの位置を星印で示している。１０個のシンボルの後で（回転されている）信号点配置の位置は、円で示されていて、５０個のシンボルの後では、十字で示されている。
もし残留誤差が訂正されていないなら、信号点配置の複数の信号点が次の象限に通過する時刻がきて、受信では、他の象限で送られた点として誤って解釈される。
【００６７】
残留誤差に追随し訂正するため、等化モジュールに含まれる回転素子（rotor）が周波数ドメインで使用される。さらに、この回転素子を用いて、サンプル周波数の誤差が推定でき、この推定が周波数訂正素子（フィルタを備える再サンプル素子２７またはＶＣＸＯ２８）への入力として使用できる。回転素子により推定される推定は、上述の説明から分かるように、アークタンジェントにより得られる推定よりも正確である。
回転素子を使用するため、周波数ドメインにおける各キャリアの信号点配置の回転速度が計算されねばならない。その後で、この回転が、受信した各シンボルについて補償される。
【００６８】
電気ネットワークにおける周波数応答の変動は、（このシステムの設計において選択された時間シンボルのため）１２個のシンボルの時間では重要でない。そのため、ある時間において、キャリアにおいて生じる回転はサンプル周波数の推定における残留誤差のみによるものであり、チャンネル応答の変化によるものでないと仮定できる。この理由のため、発明の１実施形態によると、１６個のシンボルにおいて回転角へのチャンネルの影響は、サンプル周波数の誤差による回転角のため無視できると仮定できる。
この近似を用いて、サンプル周波数の誤差によるサンプルの間のキャリアk-esimaの位相回転は以下にように定義できることを示すことができる。
【００６９】
【数１５】
2004533768.tif 000013
【００７０】
【数１６】
2004533768.tif 000014
【００７１】
ここに、ｆｓは、名目上のサンプル周波数であり、Δｆｓは、サンプル周波数の誤差であり、Ｎはシンボルの中のサンプルの数であり、ｆｃはＩＱ変調のために使用される周波数であり、Ｍはデシメータ９におけるデシメータ因子であり、Ｌは循環的接頭部のサンプルの数である。
周波数の残留誤差により生じた回転を訂正するため、受信した信号は回転素子推定値と反対の角度の複素指数関数と乗算されねばならない。
【００７２】
各キャリアにおける信号点配置の回転速度を計算するため、下流チャンネルで１つの「グリッド」を送信する。この送信では、固定された変調（好ましくは、その復調のための低い信号対雑音比の変調）を用いる同期シーケンスに続いてシンボルの中のキャリア（複数）を送信する。グリッドキャリアの位置は、ある期間の後で、すべてのキャリアが、１つの時間または他の時間に、固定された変調を使用することを強いるように（すなわち、グリッドキャリアであることを強いるように）、変更できる。ユーザは、そのユーザが情報の宛先であるか否かにかかわらず、それらのキャリアにより送られる情報を知らない。
【００７３】
システム設計により固定されるより高い周波数で、各キャリアにおいて生じる最大の回転と、種々の装置における送信用発振器と受信用発振器の間の差により固定されるサンプル周波数の誤差としてのΔｆｓとを用いて、オーバーラップやオーバーフローを生じることなく各キャリアにおける回転速度の推定ができるように、同じキャリアにおける２つの連続する回転角の間の位相差が１８０°（πラジアン）より小さいとき、各キャリアにおける回転角の２つの連続する測定の間の最長期間が固定されている。数学的にはこの期間は以下のように計算できる。
【００７４】
【数１７】
2004533768.tif 000015
【００７５】
【数１８】
2004533768.tif 000016
【００７６】
【数１９】
2004533768.tif 000017
ただし、
【００７７】
【数２０】
2004533768.tif 000018
【００７８】
ｆmax_errorの値は、シンボルごとにキャリアk-esimaの回転角のための式を用いて得られて、以下の式のようになる。
【００７９】
【数２１】
2004533768.tif 000019
【００８０】
ここで、Ｐｍａｘ＿ｅｒｒｏｒは、最高のキャリアに対応する指標(index)であり、ｆｓは種々の装置における名目上のサンプル周波数であり、Δｆｓはサンプル周波数の変動であり、Ｎはシンボルサンプルの数であり、ｆｃはキャリア周波数であり、Ｍはデシメータ因子である。
異なったキャリアにおける２つの連続する回転角のこの最長期間とシンボル期間との除算により、以下の結果が得られる。
【００８１】
【数２２】
2004533768.tif 000020
【００８２】
ここに、ＮＴは、あるキャリアにおける角度の２つの連続的測定の間のシンボル数の最大値であるので、グリッドは、このシステムにおいてＮサンプルにわたって分布できる。このことから、シンボル当りのグリッドキャリアの数と、１測定期間内のグリッドでのグリッドシンボルの数（ＮＴ以下である）との積は、システムの中のキャリアの数Ｎに等しくなければならない。
【００８３】
グリッドの分布の中の２つの可能な具体例は、１つのシンボルの中の全キャリアがグリッドキャリアであることを強制し、または、シンボル期間の中のキャリアを最大のＮ／ＮＴキャリアに分布する。その目的は、最大のＮＴサンプルにおいて、回転角の測定が全キャリアにおいて行われ、Ｎｔシンボルに続いて新しい測定過程が行われることである。
【００８４】
ヘッドオン装置は、グリッドとして使用されるキャリアを使用しつづけ、（他のキャリアにおいても起こるように）希望の情報を送信するが、それらのキャリアにおいて固定された変調を使用することを強いる。ユーザは、グリッドキャリアにおける情報の宛先であるユーザも、そうでないユーザも、キャリアにおいて使用される変調を知っていて、この受信を用いて、グリッドキャリアにおける回転速度の推定を実行する。
【００８５】
ユーザの装置は、（グリッドキャリアにより送られる情報の宛先であるか否かにかかわらず、キャリアにおいて使用されている変調を知っているので）その情報を復調し、受信された信号点配置の信号点を送られるべき信号点配置の信号点と比較することにより、角度のずれを推定する。（グリッドの構成パラメータに依存して）この角度と、複数のシンボル前に計算された角度との差を計算し、次に、２つの測定の間のシンボルの数で除算することにより、回転角が計算されていたキャリアにおける信号点配置の回転速度の推定が得られる。
【００８６】
この具体化の１例では、周期が１６シンボルであると仮定する。このため、１６シンボルごとに、全てのキャリアがある時間でグリッドキャリアとして使用されていて、もしたとえば全部で３２キャリアあると、グリッドの１つの形は、グリッドとして２つのキャリアをおき、シンボルごとに位置を変更しつづける。この場合、ヘッドオン装置は、情報を送るためにこれらのキャリアの使用を続けるが、しかし、低い信号対雑音復調の要請（たとえばＱＰＳＫ）を持つ変調により変調され、ユーザは、（グリッドキャリアにより送られる情報の宛先であるか否かにかかわらず、ＱＰＳＫで送られることを知っているので、）情報を復調する。その期間が終わると、すなわち、１６個のシンボルに続いて、全キャリアについての回転角の値の新しい測定が行われ、したがって、各キャリアにおける回転速度の新しい測定が行われる。この場合、それらのキャリアにおける回転速度を計算するため、このキャリアの中で送られるＱＰＳＫシンボルがまず復調される。受信された信号点配置の信号点と座標軸により形成される角度が、送られる信号点配置の信号点の角度から減算され、これにより、このキャリアにおいて生じる角度のずれが分かる。新しい角度が、１６シンボルごとにこのキャリアについて計算される。そして、最近計算された角度と１６シンボル前に計算された角度との差が１６で除算され、シンボルごとの回転速度が分かる。この推定は、前の推定とともに、低域通過フィルタに送られて、突然のチャンネル変化による変動を除去し、また、この推定における雑音の影響を減らす。収束過程を加速するため、種々のキャリアについての結果の周波数平均が実行できる。
【００８７】
回転素子を用いた訂正は、信号と、周波数ドメイン、すなわち、モジュール１３（特に等化器）における複素指数関数との乗算を含む。簡単にするため、また、この段階における誤差が小さいため、複素指数関数の実数部分を１とし、虚数部分をラジアンで推定した角度とすることができる。
【００８８】
全てのキャリアにおけるこれらの回転の平均の計算結果は以下のとおりである。
【００８９】
【数２３】
2004533768.tif 000021
【００９０】
この平均値は、周波数のこの誤差を正確に訂正するために使用できる周波数誤差の推定値である。このため、この推定値は、より正確な値を得るため、周波数訂正素子（再サンプル素子２７と再サンプルフィルタ１２またはＶＣＸＯ２８）への入力として使用される。発明の他の実施形態では、アークタンジェントを計算するのに十分な回路、好ましくは上述のＣＯＲＤＩＣ２６、によりアークタンジェントのために得られた相関角から始まる推定が、この段階で使用できる。
【図面の簡単な説明】
【００９１】
【図１】ヘッドエンド送信機のブロック図の最後の部分である。ヘッドエンド送信機により、同期シーケンスとデータが本発明において説明される方法により送られる。送信機の残りの部分は、発明の理解に関連しないので、含まれない。
【図２】周波数訂正を行うＶＣＸＯを用いて、本発明における方法により受信部の同期を行う下流チャンネルにおける同期シーケンスを検出するユーザの受信機の開始を示す図である。
【図３】再サンプル素子を周波数訂正を行うフィルタと共に用いる、本発明による受信部の同期を行う他の可能な例を示す図である。
【図４】相関と、受信部により得られたサンプルのしきい値と乗算されるパワーの１例のグラフである。この図は、相関の最大値が種々の例において受信部に維持されていることを明らかに示している。
【図５】下流チャンネルにおいて送られる同期シーケンスの例を示す図である。この同期シーケンスは、２つの同一のＯＦＤＭシンボルからなり、下流チャンネルにおいて、Ｓ個のシンボルごとに周期的に送られる。
【図６】サーキュラーバッファを用いて受信部に到達したサンプルから始まる、相関とパワーの計算を説明する図である。
【図７】受信部にその時刻に到達したサンプルから始めて、パワーと訂正の計算を行う、本発明による１例のブロック図である。
【図８】シンボルの始めとこのときに受信部によりとられたサンプルの間の複数のサンプルにおける差により受信において生じる信号点配置ＱＰＳＫの回転のグラフである。
【符号の説明】
【００９２】
７  アナログ／ディジタル変換器、    ８  復調器、    ９  デシメータ、    １２  フィルタ、    １６  同一の同期シンボル、    ２７，２８  周波数訂正素子。
【図２】
2004533768.tif 000026
【図３】
2004533768.tif 000027
【図４】
2004533768.tif 000028
【図５】
2004533768.tif 000029
【図６】
2004533768.tif 000030
【図７】
2004533768.tif 000031
【国際公開パンフレット】
2004533768.tif 000032
2004533768.tif 000033
2004533768.tif 000034
2004533768.tif 000035
2004533768.tif 000036
2004533768.tif 000037
2004533768.tif 000038
2004533768.tif 000039
2004533768.tif 000040
2004533768.tif 000041
2004533768.tif 000042
2004533768.tif 000043
2004533768.tif 000044
2004533768.tif 000045
2004533768.tif 000046
2004533768.tif 000047
2004533768.tif 000048
2004533768.tif 000049
2004533768.tif 000050
2004533768.tif 000051
2004533768.tif 000052
2004533768.tif 000053
2004533768.tif 000054
2004533768.tif 000055
2004533768.tif 000056
2004533768.tif 000057
2004533768.tif 000058
2004533768.tif 000059
2004533768.tif 000060
2004533768.tif 000061
2004533768.tif 000062
2004533768.tif 000063
2004533768.tif 000064
2004533768.tif 000065
2004533768.tif 000066
2004533768.tif 000067
2004533768.tif 000068
2004533768.tif 000069
2004533768.tif 000070
2004533768.tif 000071
2004533768.tif 000072
2004533768.tif 000073
2004533768.tif 000074
2004533768.tif 000075
2004533768.tif 000076
【国際調査報告】
2004533768.tif 000077
2004533768.tif 000078
2004533768.tif 000079
2004533768.tif 000080